(57)【要約】【課題】吸込グリルを安全な速度で容易に開閉することができ、フィルタの交換または洗浄を効率良く行うことができる室内空気吸込装置を提供する。【解決手段】室内空気吸込装置１は、天井５６付近に形成されて室内の空気を吸い込む吸込口２と、吸込口２の周囲に設けられたフレーム１０と、フレーム１０に一辺近傍が回動自在に支持されて吸込口２を開閉する吸込グリル２０と、吸込グリル２０に挿脱自在に取り付けられたフィルタ５０と、一端のフック１７がフレーム１０に形成された固定支軸１２に枢支され他端のフック１８が吸込グリル２０に形成された移動支軸３７に枢支されたねじりコイル１５と、を有する。これにより、ねじりコイル１５によって吸込グリル２０を開閉する力が加えられ、吸込グリル２０を開閉する際の作業者の負担を軽減することができ、フィルタ５０の交換または洗浄作業の安全性と作業性を高めることができる。【選択図】図１
2019184186.tif 000002
【特許請求の範囲】
【請求項１】
天井付近に形成されて室内の空気を吸い込む吸込口と、
前記吸込口の周囲に設けられたフレームと、
前記フレームに一辺近傍が回動自在に支持されて前記吸込口を開閉する吸込グリルと、
前記吸込グリルに挿脱自在に取り付けられたフィルタと、
一端のフックが前記フレームに形成された固定支軸に枢支され他端のフックが前記吸込グリルに形成された移動支軸に枢支されたねじりコイルと、を有することを特徴とする室内空気吸込装置。
【請求項２】
前記移動支軸は、前記吸込グリルの回動軸方向から見て、前記吸込グリルが閉じられた状態においては前記吸込グリルの回動軸中心と前記固定支軸の軸中心とを繋ぐ直線よりも上方に位置し、前記吸込グリルが全開になった状態においては前記直線よりも下方に位置することを特徴とする請求項１に記載の室内空気吸込装置。
【請求項３】
前記移動支軸は、前記固定支軸に比べて前記吸込グリルの回動軸への距離が短いことを特徴とする請求項１または請求項２に記載の室内空気吸込装置。
【請求項４】
前記ねじりコイルは、両端の前記フックよりも上方にコイルが位置するよう取り付けられていることを特徴とする請求項１から請求項３の何れか１項に記載の室内空気吸込装置。
【請求項５】
少なくとも一方の前記フックは、長丸環状に形成されていることを特徴とする請求項１から請求項４の何れか１項に記載の室内空気吸込装置。
【請求項６】
閉じられた状態の前記吸込グリルを前記フレームに固定するマグネットを備えていることを特徴とする請求項１から請求項５の何れか１項に記載の室内空気吸込装置。
【請求項７】
閉じられた状態の前記吸込グリルを施錠して支持するロック機構を有することを特徴とする請求項１から請求項６の何れか１項に記載の室内空気吸込装置。
【発明の詳細な説明】
【技術分野】
【０００１】
本発明は、空気調和装置の室内空気吸込装置に関し、詳しくは、室内の天井に設けられて室内空気を吸い込む室内空気吸込装置に関する。
【背景技術】
【０００２】
一般に、ダクト式空調システムや換気装置の室内空気吸込チャンバ、冷媒配管式空調システムの室内機等として、天井に埋め込まれる天井埋込型または天井から吊り下げられる天井吊下型の室内空気吸込装置がある。
【０００３】
例えば、特許文献１に開示されているように、室内空気吸込装置には、室内から吸い込む空気中のほこり等を取り除くためのフィルタが取り付けられている。この種のフィルタでは、その表面にほこり等が付着するので、その付着したほこり等を取り除くために、定期的な交換若しくは洗浄等が必要である。そのため、フィルタは、容易に取り外して洗浄等できるように、吸込口の吸込グリル等に着脱自在に装着されている。
【０００４】
吸込グリルを開く際には、吸込グリルの急激な開放によるフィルタの損傷やフィルタに付着しているほこりの飛散を防ぐ必要がある。そこで、エアダンパを利用して吸込グリルが開く速度を抑えることが提案されている。
【０００５】
例えば、特許文献２には、天井埋込型空気調和機本体の下面に取り付けられた化粧パネルの吸い込み口内面と吸込グリルとを繋ぐようにエアダンパを設けることが開示されている。
【０００６】
同文献のエアダンパは、吸込グリルが開くときのスピード緩衝のために設けられており、その各端がそれぞれ化粧パネルと吸込グリルの支点に回転自在に取り付けられている。このようにエアダンパが採用されることにより、吸込グリルの急激な開放による支点部の損傷や開放時のショックによるフィルタからのほこりの飛散を抑えることができる。
【０００７】
また例えば、特許文献３には、天井付近の高所に配設される高所設置用空気調和機において、ケーシングと吸込グリルとの間に、該吸込グリルの開作動時の動きを緩和する緩衝手段を設けることが開示されている。
【０００８】
同文献に開示された緩衝手段は、ケーシング及び吸込グリルにそれぞれ一端が回動自在に連結され且つそれぞれの他端同士が回動自在に連結されたリンクと、該両リンクの連結部に介設された回転型ダンパと、によって構成されている。
【０００９】
上記のように緩衝手段が設けられる構成により、エアフィルタ交換時等に吸込グリルは緩衝手段により開方向への動きが緩和される。従って、吸込グリルを手で支える必要がなくなり、開操作時における作業性及び安全性が大幅に向上するとされている。
【先行技術文献】
【特許文献】
【００１０】
【特許文献１】特開２０１７−３６８５７号公報
【特許文献２】特開平１０−１８５２３３号公報
【特許文献３】特開平１０−１４１６９７号公報
【発明の概要】
【発明が解決しようとする課題】
【００１１】
しかしながら、上記の従来技術では、フィルタからのほこりの飛散やフィルタ等の損傷を防ぎつつ、吸込グリルの開閉作業を容易にしてフィルタ交換等の作業効率を高めるために改善すべき点があった。
【００１２】
具体的には、前述の通り、特許文献１または特許文献２に開示された従来技術のように、吸込グリルを天井側に繋ぐエアダンパ等を設ける構成では、エアダンパ等によって吸込グリルの開作動時の動きを緩和することができる。
【００１３】
しかし、上記の構成では、閉作動時においてもエアダンパ等によって吸込グリルの動きが緩和されるので、吸込グリルを閉じる作業に時間を要する。また、エアダンパ等が設けられることにより、エアダンパ等からは、吸込グリルを閉じる際にも吸込グリルの動きを抑制する力が発生する。そのため、吸込グリルを閉じるために、作業者は吸込グリルを閉方向に強く押す必要があり、吸込グリルを閉じる作業が難しかった。
【００１４】
本発明は、上記の事情に鑑みてなされたものであり、その目的とするところは、吸込グリルを安全な速度で容易に開閉することができ、フィルタの交換または洗浄を効率良く行うことができる室内空気吸込装置を提供することにある。
【課題を解決するための手段】
【００１５】
本発明の室内空気吸込装置は、天井付近に形成されて室内の空気を吸い込む吸込口と、前記吸込口の周囲に設けられたフレームと、前記フレームに一辺近傍が回動自在に支持されて前記吸込口を開閉する吸込グリルと、前記吸込グリルに挿脱自在に取り付けられたフィルタと、一端のフックが前記フレームに形成された固定支軸に枢支され他端のフックが前記吸込グリルに形成された移動支軸に枢支されたねじりコイルと、を有することを特徴とする。
【発明の効果】
【００１６】
本発明の室内空気吸込装置によれば、一端のフックがフレームに形成された固定支軸に枢支され、他端のフックが吸込グリルに形成された移動支軸に枢支された、ねじりコイルを有する。そのため、ねじりコイルによって、吸込グリルを開閉する際の安全性と作業性を高めることができる。
【００１７】
具体的には、ねじりコイルによって吸込グリルを閉じる方向の力が加えられることにより、吸込グリルを開く際には、吸込グリルの開放の速度を抑えて安全性を高めることができる。吸込グリルを閉じる際には、ねじりコイルによる吸込グリルを引き上げる力によって、作業者の負担を軽減することができ、作業者は容易に吸込グリルを閉じることができる。
【００１８】
また、本発明の室内空気吸込装置によれば、移動支軸は、吸込グリルの回動軸方向から見て、吸込グリルが閉じられた状態においては吸込グリルの回動軸中心と固定支軸の軸中心とを繋ぐ直線よりも上方に位置し、吸込グリルが全開になった状態においては前記直線よりも下方に位置するよう形成されても良い。これにより、吸込グリルは、閉じている状態及び所定の位置まで開閉される状態においては、ねじりコイルによって閉じる方向に押され、全開になっている状態においては、ねじりコイルによって開く方向に押されて開いた状態に維持される。ねじりコイルの力によって、作業者は、吸込グリルの開閉作業を安全且つ容易に行うことができると共に、吸込グリルが全開になった状態においては、吸込グリルが閉じないように手で押さえる必要がなく、フィルタの取り外しや取り付けの作業を容易に行うことができる。
【００１９】
また、本発明の室内空気吸込装置によれば、移動支軸は、固定支軸に比べて吸込グリルの回動軸への距離が短くなるよう設けられても良い。これにより、ねじりコイルと吸込グリルを好適な状態に連結することができ、ねじりコイルの力が吸込グリルに効率的に伝えられるようになる。
【００２０】
また、本発明の室内空気吸込装置によれば、ねじりコイルは、両端のフックよりも上方にコイルが位置するよう取り付けられても良い。これにより、ねじりコイルを好適な位置に設置することが可能となり、吸込グリルの開閉動作に対してねじりコイルのレイアウトが理想的なものとなる。
【００２１】
また、本発明の室内空気吸込装置によれば、少なくとも一方のフックは、長丸環状に形成されても良い。これにより、ねじりコイルから吸込グリルに伝わる力の大きさ及び変化のタイミングを好適に調整することができる。
【００２２】
また、本発明の室内空気吸込装置によれば、閉じられた状態の吸込グリルをフレームに固定するマグネットを備えていても良い。これにより、吸込グリルが閉じられた状態において、ねじりコイルが吸込グリルを閉方向に引く力を弱くすることができる。吸込グリルが開閉される状態についても、ねじりコイルが吸込グリルを押圧する力を弱めることができ、吸込グリルを開閉する作業の効率及び安全性を高めることができる。
【００２３】
また、本発明の室内空気吸込装置によれば、閉じられた状態の吸込グリルを施錠して支持するロック機構を有しても良い。閉じられた状態の吸込グリルがロック機構によって支持されることにより、吸込グリルが閉じられた状態において、ねじりコイルが吸込グリルを閉方向に引き上げる力を弱くすることができる。そして、吸込グリルを開閉するための、ねじりコイルの押圧力を好適にすることができる。
【図面の簡単な説明】
【００２４】
【図１】本発明の実施形態に係る室内空気吸込装置の概略を示す側面図である。
【図２】本発明の実施形態に係る室内空気吸込装置の吸込グリルの概略構造を示す斜視図である。
【図３】本発明の実施形態に係る室内空気吸込装置の吸込グリルが閉じた状態を示す側面図である。
【図４】本発明の実施形態に係る室内空気吸込装置の吸込グリルが開いた状態を示す側面図である。
【図５】本発明の実施形態に係る室内空気吸込装置の吸込グリルが開いた状態のねじりコイル近傍を示す斜視図である。
【図６】本発明の実施形態に係る室内空気吸込装置のねじりコイルを示す側面図である。
【図７】本発明の実施形態に係る室内空気吸込装置のロック機構の近傍を示す透視図である。
【図８】本発明の実施形態に係る室内空気吸込装置のロック機構の概略を示す斜視図である。
【図９】本発明の実施形態に係る室内空気吸込装置のロック機構の概略を示す側面断面図である。
【図１０】本発明の実施形態に係る室内空気吸込装置のねじりコイルの他の例を示す側面図である。
【発明を実施するための形態】
【００２５】
以下、本発明の実施形態に係る室内空気吸込装置を図面に基づき詳細に説明する。
図１は、本発明の実施形態に係る室内空気吸込装置１の概略を示す側面図である。なお、図１においては、室内空気吸込装置１のフレーム１０及びそれが取り付けられる吸込チャンバ５５の断面図を示している。
【００２６】
図１に示すように、室内空気吸込装置１は、室内の天井５６近傍に取り付けられる装置である。室内空気吸込装置１は、室内の換気、暖房及び冷房等に用いられるダクト式空調システムの室内機を構成するものであり、室内の空気を空気調和装置内に取り込むために用いられる。
【００２７】
室内空気吸込装置１から形成される空気調和装置は、図示しない空気吹出装置、熱交換器、送風機、分岐チャンバ、ダンパ、及び各装置を繋ぎ空気を流すためのダクト等を有する。なお、本実施形態の室内空気吸込装置１を用いる空気調和装置としては、換気のみを行う換気装置や冷媒配管式の空気調和装置等でも良い。
【００２８】
室内空気吸込装置１は、天井５６付近に形成された吸込口２と、吸込口２の周囲に設けられるフレーム１０と、フレーム１０に支持されて吸込口２を開閉する吸込グリル２０と、を有する。
【００２９】
吸込口２は、室内空気吸込装置１が設置された室内の空気を吸い込むための開口であり、天井５６に形成されている。具体的には、吸込口２が形成される天井５６の内部には、略箱状に形成された吸込チャンバ５５が埋め込まれている。吸込チャンバ５５は、室内側となる下面が開口しており、その下面の開口部が室内の空気を吸い込む吸込口２を形成している。
【００３０】
天井５６の内部に埋め込まれる吸込チャンバ５５の上面または側面には、図示しないダクト等が接続されるダクト接続部が形成されている。吸込チャンバ５５のダクト接続部は、略円形の貫通孔とその周囲縁から連続する略円筒状の接続部を有し、該接続部に前述のダクト等が接続される。吸込チャンバ５５内に取り込まれる室内の空気は、ダクト等を介して図示しない他の装置に送られる。
【００３１】
フレーム１０は、略矩形枠状の形態を成し、吸込チャンバ５５の下部近傍に取り付けられ、吸込口２の周囲を取り囲むように配設されている。フレーム１０には、吸込口２を開閉自在な吸込グリル２０が取り付けられている。
【００３２】
吸込グリル２０は、略矩形状に形成されており、一辺近傍が回動自在にフレーム１０に支持されている。吸込グリル２０の室内側には、グリルが形成されたグリル本体２１が備えられている。吸込グリル２０のグリル本体２１は、略矩形枠状の枠部と、その枠部によって取り囲まれた略格子状等の格子部と、を有し、室内の空気が流通可能となるように形成されている。グリル本体２１は、例えば、合成樹脂の一体成形品またはアルミニウム等の押出材や鋼板等の板金加工材等から構成されている。
【００３３】
吸込グリル２０の上部には、フレーム１０と吸込グリル２０を繋ぐ、ねじりコイル１５が設けられている。ねじりコイル１５は、吸込グリル２０を閉方向または開方向に押圧するものである。詳細については後述する。
【００３４】
吸込グリル２０には、グリル本体２１の上方に取り付けられた固定ガイド３０と、固定ガイド３０によって摺動自在に支持されるスライドガイド４０と、スライドガイド４０に挿脱自在に支持されるフィルタ５０と、が設けられている。
【００３５】
フィルタ５０は、空気調和装置へのほこりの侵入を防止するために、吸い込まれる空気中のほこりを付着するものである。作業者は、吸込グリル２０を開いて、スライドガイド４０を下方に引き下げ、フィルタ５０を取り外すことにより、フィルタ５０に付着したほこりを除去するための洗浄やフィルタ５０の交換を行うことができる。
【００３６】
図２は、吸込グリル２０の概略構造を示す図であり、吸込グリル２０を斜め上方から見た斜視図である。なお、図２においては、グリル本体２１の図示を省略している。
【００３７】
図２に示すように、吸込グリル２０の固定ガイド３０は、左右から対向する一対の支持レール３１と、支持レール３１の端部近傍を繋ぐレール固定材３２、レール固定材３３、レール固定材３４と、を有し、略矩形枠状に形成されている。
【００３８】
一対の支持レール３１は、略平行に配設され、対向する内側がスライドガイド４０をスライド可能に支える略凹状のレール面となっている。なお、固定ガイド３０を構成する各部材は、例えば、アルミニウム材の押出成形や鋼板のプレス成形によって形成されており、ねじやリベットによって固定されている。
【００３９】
支持レール３１の一端部近傍、詳しくは、吸込グリル２０が開かれた状態において上方となる端部の近傍には、ねじりコイル１５（図３参照）を支持するための支持板部３６が形成されている。支持板部３６及びねじりコイル１５の詳細については後述する。
【００４０】
レール固定材３３、３４は、左右の支持板部３６を繋ぐように設けられている。詳しくは、レール固定材３３は、一対の支持レール３１の端部近傍において支持板部３６を支えるように設けられ、レール固定材３４は、ねじりコイル１５を支えるための移動支軸３７の近傍において支持板部３６を支えるように設けられている。
【００４１】
支持板部３６が形成されてレール固定材３３、３４によって好適に支えられることにより、ねじりコイル１５の押圧による固定ガイド３０の変形を抑えることができ、ねじりコイル１５の力を効率的に伝えることができる。
【００４２】
レール固定材３４の端部近傍には、吸込グリル２０が全開になった状態において、ねじりコイル１５のアームに当接する、ストッパ部３８が形成されている。詳しくは、ストッパ部３８は、レール固定材３４の支持板部３６よりも左右外側に突出した両端部近傍の上面側に形成されている。
【００４３】
ねじりコイル１５のアームがストッパ部３８に当接することにより、ねじりコイル１５は、ストッパ部３８に支持されて回動が止められる。これにより、吸込グリル２０は、開方向への回動が抑えられて全開位置に保持される。
【００４４】
スライドガイド４０は、対向する一対のフィルタ支持レール４１と、フィルタ支持レール４１の端部近傍を繋ぐフィルタレール固定材４２、フィルタレール固定材４３と、を有し、略矩形枠状に形成されている。
【００４５】
一対のフィルタ支持レール４１は、略平行に配設され、対向する内側がフィルタ５０を挿脱自在に支える略凹状のレール面となり、外側が固定ガイド３０の支持レール３１に嵌め込まれて移動可能に支持される略凸状のレール面となっている。なお、スライドガイド４０は、例えば、アルミニウム材の押出成形部材や鋼板のプレス成形部材によって形成されており、ねじやリベットによって組み立てられている。
【００４６】
固定ガイド３０のレール固定材３３の略中央内側には、スライドガイド４０を着脱自在に支持するマグネット部３５が形成されている。また、スライドガイド４０の挿入方向奥側にあるフィルタレール固定材４３には、マグネット部３５に吸引され固定ガイド３０のレール固定材３３に固定されるガイド固定部４４が形成されている。
【００４７】
上記の構成により、スライドガイド４０は、固定ガイド３０の所定位置まで差し込まれた状態において、マグネット部３５によるガイド固定部４４の吸着によって、固定ガイド３０に固定される。これにより、吸込ダクト２０の開閉作業時にスライドガイド４０が外れてしまうことを防止することができ、開閉作業の安全性を高めることができる。
【００４８】
なお、固定ガイド３０とスライドガイド４０を接合するマグネットは、固定ガイド３０のマグネット部３５に設けられても良いし、スライドガイド４０のガイド固定部４４に設けられても良い。また、マグネットを使用する構成に変えて、固定ガイド３０とスライドガイド４０を着脱自在に係止可能な他の構成を採用することも可能である。
【００４９】
スライドガイド４０が開き方向に引かれてフィルタ５０を取り外し可能な最開状態までスライドした際、スライドガイド４０のガイド固定部４４は、固定ガイド３０のレール固定材３２に当接する。これにより、スライドガイド４０が固定ガイド３０から外れてしまうことを防止することができる。
【００５０】
また、固定ガイド３０には、スライドガイド４０の外れを防止するための図示しないストッパ部が形成されている。具体的には、前記ストッパ部は、支持レール３１とレール固定材３２との接続部近傍の支持レール３１またはレール固定材３２に設けられている。
【００５１】
前記ストッパ部は、スライドガイド４０が最も開いた状態となる位置までスライドした際、スライドガイド４０のフィルタレール固定材４３に当接する。これにより、前記ストッパ部は、スライドガイド４０が全開となる位置を決める位置決め部材となり、スライドガイド４０が固定ガイド３０から外れてしまうことを防止する。
【００５２】
上述の通り、フィルタレール固定材４３の略中央部に設けられたガイド固定部４４と、レール固定材３２の両端部近傍に設けられた図示しないストッパ部は、何れもスライドガイド４０の全開位置を決める位置決め部材となると共に、スライドガイド４０の外れを防止する支持部材となる。即ち、吸込グリル２０は、フィルタレール固定材４３の略中央部及び両端部近傍の３箇所にスライドガイド４０の全開位置決め及び外れ防止のための構造を有する。これにより、スライドガイド４０が外れることなく、安全で効率的な開閉作業を行うことができる。
【００５３】
フィルタ５０は、例えば、鋼棒等から曲折形成される略矩形状のフィルタ枠５１と、フィルタ枠５１の間に張設される合成繊維製の不織布等と、を有するエアフィルタである。吸込グリル２０にフィルタ５０が取り付けられることにより、フィルタ５０の表面にほこり等を付着させて、空気調和装置にほこり等が吸入されることを防ぐことができる。
【００５４】
フィルタ５０は、フィルタ枠５１を構成する左右一対の辺部近傍が、スライドガイド４０のフィルタ支持レール４１に支持されるように挿入される。スライドガイド４０に挿入されたフィルタ５０は、挿入方向の先端部がスライドガイド４０のガイド固定部４４に当節して支持される。
【００５５】
スライドガイド４０のフィルタレール固定材４２には、スライドガイド４０に取り付けられたフィルタ５０の外れを防止するためのフィルタフック４５が設けられている。フィルタ５０を取り外す際または取り付ける際には、フィルタフック４５が下方に回動されて、フィルタ５０の移動が可能になる。
【００５６】
フィルタ５０が装着された状態においては、フィルタフック４５は、フィルタ５０の後方端部を支持するよう、上方に回される（図７参照）。これにより、取り付け及び取り外し作業時のフィルタ５０の外れを防止することができる。
【００５７】
上記の如く、フィルタ５０は、開閉自在に構成された吸込グリル２０に対して着脱自在に取り付けられる。これにより、天井５６（図１参照）近傍に設置された室内空気吸込装置１の吸込グリル２０を開いて、フィルタ５０を容易に取り外して、清浄、交換等をすることができる。
【００５８】
図３は、室内空気吸込装置１の吸込グリル２０が閉じた状態を示す側面図である。図４は、吸込グリル２０が開いた状態を示す側面図である。なお、図３及び図４において、フレーム１０及び吸込チャンバ５５については断面図を示している。
【００５９】
図３及び図４に示すように、吸込グリル２０の一辺近傍には、吸込グリル２０を回動自在に支持するヒンジピン２３が設けられている。詳しくは、ヒンジピン２３は、吸込グリル２０の左右辺部の端部近傍に設けられ、吸込グリル２０がフレーム１０に対して回動するように吸込グリル２０を支持している。これにより、左右一対のヒンジピン２３を回動軸として、吸込グリル２０を開閉することができる。
【００６０】
フレーム１０には、吸込グリル２０が開閉する側の辺部近傍に、マグネット部１３が形成されている。詳しくは、マグネット部１３は、フレーム１０の左右の辺部に設けられ、固定ガイド３０の支持レール３１の開閉側端部近傍に吸着するマグネットを有する。なお、マグネットは、フレーム１０のマグネット部１３に吸着するように、固定ガイド３０側に設けられても良い。
【００６１】
フレーム１０にマグネット部１３が設けられることにより、図３に示す如く、閉じられた状態の吸込グリル２０をフレーム１０に固定することができ、吸込グリル２０が閉じられた状態において、ねじりコイル１５が吸込グリル２０を閉方向に押す力を弱くすることができる。
【００６２】
そして、マグネット部１３が設けられることにより、図４に示す如く、吸込グリル２０が開閉される状態についても、ねじりコイル１５が吸込グリル２０を押圧する力を弱めることができ、吸込グリル２０を開閉する作業の効率及び安全性を高めることができる。また、ねじりコイル１５の仕様として、押圧力の小さい小型軽量なものを採用することができるので、室内空気吸込装置１の生産性を高めることができる。
【００６３】
図３を参照して、吸込グリル２０の開閉側の端部近傍には、開閉作業時に操作棒５７を掛けるための掛止部２９が設けられている。作業者は、掛止部２９に操作棒５７の先端部を引っ掛けて、吸込グリル２０を容易に回動させることができ、図４に示す如く、吸込グリル２０を開いた状態にすることができる。
【００６４】
なお、吸込グリル２０は、床面に対して垂直になるまで回動可能でなくても良い。吸込グリル２０の全開角度、即ち、吸込グリル２０が全開にされた際のフレーム１０と吸込グリル２０との角度は、４５度から９０度、好ましくは６０度から９０度が良い。
【００６５】
図５は、図４のＡ部付近を示す側面図であり、吸込グリル２０が開いた状態のねじりコイル１５近傍を示している。なお、図５において、フレーム１０及び吸込チャンバ５５については断面図を示している。
【００６６】
図５に示すように、フレーム１０の上部には、固定支軸１２が設けられている。固定支軸１２は、ねじりコイル１５の一端のフック１７を回動自在に支持する軸であり、フレーム１０の左右辺部に設けられた支持具１１に取り付けられている。詳しくは、左右一対の固定支軸１２は、吸込グリル２０が開閉する側とヒンジピン２３側との中央近傍に設けられて（図４参照）、支持具１１からフレーム１０の内側に向かって延在している。
【００６７】
吸込グリル２０のヒンジピン２３で支持されている側には、移動支軸３７が設けられている。移動支軸３７は、ねじりコイル１５の他端のフック１８を回動自在に支持する軸であり、吸込グリル２０の固定ガイド３０に形成された支持板部３６に支持されている。
【００６８】
詳しくは、支持板部３６は、支持レール３１のヒンジピン２３側の端部近傍に形成されており、ヒンジピン２３から所定の距離を隔てて、レール固定材３４で支持された箇所の近傍で移動支軸３７を支持している。移動支軸３７は、左右の支持板部３６に取り付けられ、左右の移動支軸３７は、それぞれ支持板部３６から外側に延在している。
【００６９】
ねじりコイル１５は、吸込グリル２０を開方向または閉方向に押圧する部材であり、一端のフック１７がフレーム１０に形成された固定支軸１２に枢支され、他端のフック１８が吸込グリル２０に形成された移動支軸３７に枢支されている。
【００７０】
ねじりコイル１５が設けられることにより、吸込グリル２０を開閉する際の安全性と作業性を高めることができる。詳しくは、ねじりコイル１５によって吸込グリル２０に閉じる方向の力が加えられることにより、吸込グリル２０を開く際には、吸込グリル２０の開放の速度を抑えて安全性を高めることができる。吸込グリル２０を閉じる際には、ねじりコイル１５による吸込グリル２０を引き上げる力によって、作業者の負担を軽減することができ、作業者は容易に吸込グリル２０を閉じることができる。
【００７１】
移動支軸３７は、固定支軸１２に比べて、吸込グリル２０の回動軸となるヒンジピン２３への距離が短くなるよう設けられている。即ち、移動支軸３７は、ヒンジピン２３と固定支軸１２との間を回動するように設けられている。これにより、ねじりコイル１５と吸込グリル２０を好適な状態に連結することができ、ねじりコイル１５のばね力を吸込グリル２０に効率的に伝えることができる。
【００７２】
ねじりコイル１５は、コイル１６が両側のアーム端部のフック１７、１８よりも上方に位置するよう取り付けられている。これにより、ねじりコイル１５が好適な位置に設置され、吸込グリル２０の開閉動作に対してねじりコイル１５のレイアウトが理想的なものとなる。
【００７３】
吸込グリル２０が全開になった状態において、ねじりコイル１５の移動支軸３７側のアームは、レール固定材３４の端部近傍に形成されたストッパ部３８に当接する。ねじりコイル１５のアームがストッパ部３８に当接することにより、ねじりコイル１５は、ストッパ部３８に支持されて回動が止められる。これにより、吸込グリル２０は、開方向への回動が抑えられて全開位置に保持される。
【００７４】
上述の如く、吸込グリル２０は、ストッパ部３８によって全開位置が決められることになる。そのため、レール固定材３４の固定位置や、ストッパ部３８が形成される位置を変えることにより、吸込グリル２０の全開角度を好適に選定することができる。
【００７５】
次に、図６を参照して、吸込グリル２０を開閉する際のねじりコイル１５の動きについて詳細に説明する。図６は、室内空気吸込装置１のねじりコイル１５の動きを示す側面図であり、ねじりコイル１５を吸込グリル２０の回動軸方向に見た図である。
【００７６】
図６において、位置Ｐ１は、吸込グリル２０が完全に閉じられた状態における移動支軸３７の位置を示し、位置Ｐ２及び位置Ｐ３は、吸込グリル２０が開かれて全開になる前の状態における移動支軸３７の位置を示し、位置Ｐ４は、吸込グリル２０が全開になった状態における移動支軸３７の位置を示す。
【００７７】
図６に示すように、吸込グリル２０が閉じられた状態において、移動支軸３７の位置Ｐ１は、ヒンジピン２３の略直上部になる。詳しくは、移動支軸３７は、吸込グリル２０の回動軸方向、即ちヒンジピン２３の軸方向から見て、ヒンジピン２３の軸中心と固定支軸１２の軸中心とを繋ぐ直線Ｘよりも上方に位置する。
【００７８】
吸込グリル２０が開かれると、移動支軸３７は、吸込グリル２０の回動方向と同じ方向に移動するようヒンジピン２３を軸として回動して、直線Ｘに近づく。なお、位置Ｐ１及び位置Ｐ２においては、移動支軸３７は、ねじりコイル１５によって吸込グリル２０が閉じる方向に押されている。
【００７９】
更に吸込グリル２０が開かれると、移動支軸３７は、ヒンジピン２３の軸中心と固定支軸１２の軸中心とを繋ぐ直線Ｘ上の位置Ｐ３に達する。位置Ｐ３においては、ねじりコイル１５からの押圧は、吸込グリル２０の回動中心であるヒンジピン２３の中心軸に向かうことになる。よって、位置Ｐ３において、ねじりコイル１５の力は、吸込グリル２０を開閉させる回転方向については、開方向にも閉方向にも作用しない。
【００８０】
更に吸込グリル２０が開かれると、移動支軸３７は、直線Ｘよりも下方に向かって回動し、吸込グリル２０が全開になる位置Ｐ４に達する。つまり、吸込グリル２０が全開になった状態においては、移動支軸３７は、吸込グリル２０の回動軸中心と固定支軸１２の軸中心とを繋ぐ直線Ｘよりも下方に位置する。よって、吸込グリル２０の全開状態においては、ねじりコイル１５の力は、吸込グリル２０を開く方向に作用している。
【００８１】
このように、吸込グリル２０は、閉じている状態及び所定の位置まで開閉される状態においては、ねじりコイル１５によって閉じる方向に引き上げられ、全開になっている状態においては、ねじりコイル１５によって開く方向に押されて開いた状態に維持される。
【００８２】
ねじりコイル１５の力によって、作業者は、吸込グリル２０の開閉作業を安全且つ容易に行うことができると共に、吸込グリル２０が全開になった状態においては、吸込グリル２０が閉じないように手で押さえる必要がなく、フィルタ５０（図１参照）の取り外しや取り付けの作業を容易に行うことができる。
【００８３】
次に、図７から図９を参照して、ロック機構２４について詳細に説明する。図７は、室内空気吸込装置１のロック機構２４の近傍を示す透視図である。図８は、ロック機構２４の概略を示す斜視図である。図９は、ロック機構２４の概略を示す側面断面図である。
【００８４】
図７を参照して、前述の通り、吸込グリル２０のスライドガイド４０には、開閉側の端部近傍からフィルタ５０が挿入される。挿入されたフィルタ５０は、外れ落ちないように、上方に回動されたフィルタフック４５によって後方端部が支持されている。
【００８５】
吸込グリル２０のフィルタ５０挿入側の端部近傍には、閉じられた状態の吸込グリル２０を施錠して支持するロック機構２４が設けられている。詳しくは、ロック機構２４は、グリル本体２１の開閉側端部の左右方向略中央に設けられ、施錠部となる施錠板２５の端部近傍がグリル本体２１の側面から突出するように形成されている。
【００８６】
図８または図９に示すように、フレーム１０の内側面には、グリル本体２１から突出したロック機構２４の施錠板２５が挿入され支持される施錠穴１４が形成されている。施錠板２５は、施錠穴１４に係脱するよう、グリル本体２１の側面から突出する方向に移動自在に設けられており、支持具２８によって支持されたスプリング２７によって突出方向に押圧されている。
【００８７】
ロック機構２４の施錠板２５は、例えば、鋼板から形成されており、施錠穴１４に係合する端部近傍には、上方に向かって曲折されて上部よりも下部の方が外側に突出するよう傾斜した傾斜面２６が形成されている。
【００８８】
また、ロック機構２４には、吸込グリル２０の内側に挿入された施錠板２５の端部近傍に、吸込グリル２０を開く際に操作棒５７を掛けるための掛止部２９が設けられている。掛止部２９は、例えば、アイボルトやフックボルトであっても良い。
【００８９】
上記のように構成されることにより、吸込グリル２０を閉じる際には、ロック機構２４は、傾斜面２６がフレーム１０に当接して吸込グリル２０の内側に押されて移動する。そして、ロック機構２４の施錠板２５が施錠穴１４に係合し、吸込グリル２０が開かないようにロック機構２４によって施錠される。
【００９０】
他方、吸込グリル２０を開く際には、掛止部２９に操作棒５７を掛けて軽く引くことにより、スプリング２７によって施錠方向に押されている施錠板２５を吸込グリル２０の方向に移動させて、ロック機構２４による施錠を解除することができる。これにより、吸込グリル２０を容易に開くことができる。
【００９１】
閉じられた状態の吸込グリル２０がロック機構２４によって支持されることにより、吸込グリル２０が完全に閉じられた状態において、ねじりコイル１５（図６等参照）が吸込グリル２０を閉方向に引き上げる力を弱くすることができる。そして、吸込グリル２０が開閉される状態においては、吸込グリル２０を開閉するための力として、ねじりコイル１５の押圧力を好適にすることができる。
【００９２】
なお、閉じられた状態の吸込グリル２０をフレーム１０に固定して開きを防止する構成としては、上述のロック機構２４または図４等に示すマグネット部１３の何れか一方が備えられていれば良い。
【００９３】
次に、図１０を参照して、実施形態を変形した例として、ねじりコイル１１５について詳細に説明する。図１０は、ねじりコイル１１５近傍を示す側面図である。なお、図１０において、フレーム１０及び吸込チャンバ５５については断面図を示している。
【００９４】
図１０に示すように、ねじりコイル１１５のフック１１７及びフック１１８は、長丸環状に形成されている。これにより、ねじりコイル１１５の一端側にあるフック１１７は、固定支軸１２に対して回動自在且つフック１１７の長手方向に移動自在に枢支される。ねじりコイル１１５の他端側にあるフック１１８は、移動支軸３７に対して回動自在且つフック１１８の長手方向に移動自在に枢支される。
【００９５】
このように、ねじりコイル１１５のフック１１７が、固定支軸１２に対してフック１１７の長手方向に移動することにより、または、フック１１８が、移動支軸３７に対してフック１１８の長手方向に移動することにより、ねじりコイル１１５から吸込グリル２０に伝わる力の大きさ及び変化のタイミングを好適に調整することができる。これにより、吸込グリル２０を安全な速度で容易に開閉することができる。
【００９６】
なお、ねじりコイル１１５のフック１１７またはフック１１８は、何れか一方のみが長丸環状に形成され、他方は略正円形状に形成されても良い。また、長丸環状に形成されたフック１１７またはフック１１８は、ねじりコイル１１５のアームが延在する方向を長手方向として形成されても良いし、アームが延在する方向に対して所定の角度で傾斜するように形成されても良い。
【００９７】
以上、本発明の実施形態について説明したが、本発明は、上記実施形態に限定されるものではなく、その他、本発明の要旨を逸脱しない範囲で、種々の変更実施が可能である。
【符号の説明】
【００９８】
１      室内空気吸込装置
２      吸込口
１０    フレーム
１２    固定支軸
１３    マグネット部
１５    ねじりコイル
１６    コイル
１７    フック
１８    フック
２０    吸込グリル
２１    グリル本体
２３    ヒンジピン
２４    ロック機構
２７    スプリング
３０    固定ガイド
３５    マグネット部
３６    支持板部
３７    移動支軸
４０    スライドガイド
４４    ガイド固定部
４５    フィルタフック
５０    フィルタ
５５    吸込チャンバ
【図１】
2019184186.tif 000003
【図２】
2019184186.tif 000004
【図３】
2019184186.tif 000005
【図４】
2019184186.tif 000006
【図５】
2019184186.tif 000007
【図６】
2019184186.tif 000008
【図７】
2019184186.tif 000009
【図８】
2019184186.tif 000010
【図９】
2019184186.tif 000011
【図１０】
2019184186.tif 000012